(57)【要約】  時計ケース（１）をストラップまたはブレスレット（２）の２つの端部に連結する自動ロック式伸張装置であって、第１展開可能要素（３）および第２展開可能要素（４）を備え、各々、一端が、ストラップまたはブレスレット（２）の端部に枢支連結されるかまたは枢支連結されるように構成され、別の端部が、ロック位置とアンロック位置との間で時計ケース（１）に直接または間接的に枢支連結される。上記展開可能要素（３、４）は、ロック位置において時計ケース（１）の背面の下に閉じ込められるか、もしくは時計ケース（１）の周縁に接するように、または時計ケース（１）の正面に亙って位置するような形状である。展開可能要素（３、４）は、ストラップまたはブレスレット（２）の端部が合わせてまたは別個に移動する間に時計ケース（１）を回転させることによりロック位置とアンロック位置との間で移動可能である。【選択図】図７
2008532053.tif 000002
【特許請求の範囲】
【請求項１】
時計ケース（１）をストラップまたはブレスレット（２）の２つの端部に連結する自動ロック式伸張装置であって、第１展開可能要素（３）および第２展開可能要素（４）を具備し、各々が、一端が、前記ストラップまたは前記ブレスレット（２）の端部に枢支連結されるかまたは枢支連結されるように構成され、別の端部が、ロック位置とアンロック位置との間で前記時計ケース（１）に直接または間接的に枢支連結され、前記展開可能要素（３、４）が、前記ロック位置において前記時計ケース（１）の背面の下に閉じ込められるか、または前記時計ケース（１）の周縁に接するように位置するか、または前記時計ケース（１）の正面に亙って位置するような形状であり、前記展開可能要素（３、４）が、前記ストラップまたはブレスレット（３）の前記端部が合わせてまたは別個に移動する間に前記時計ケース（１）を回転させることにより前記ロック位置と前記アンロック位置との間で移動可能である、自動ロック式伸張装置。
【請求項２】
各展開可能要素（３、４）の一端が、前記ストラップまたはブレスレット（２）の一端に夫々の第１軸（１１）および第２軸（１２）において連結され、前記軸（１１、１２）が、前記要素（３、４）が前記ロック位置において前記時計ケース（１）の背面の下に閉じ込められる時、互いに対して平行でありかつ互いから隔置され、それにより前記要素（３、４）を安定した位置で保持する引張線がもたらされることを特徴とする、請求項１に記載の自動ロック式伸張装置。
【請求項３】
前記第１展開可能要素（３）および第２展開可能要素（４）の他端が、夫々第３軸（１３）および第４軸（１４）において前記時計ケース（１）に連結されることを特徴とする、請求項２に記載の自動ロック式伸張装置。
【請求項４】
前記第３軸（１３）が引張線（１５）の下方に移動し前記第４軸（１４）が前記引張線（１５）の上方に移動するように前記時計ケース（４）が左周りに回転される時、前記展開可能要素（３、４）が回転可能に展開され、前記第１軸（１１）、第２軸（１２）、第３軸（１３）および第４軸（１４）が前記引張線（９）上で互いに平行である時、前記要素（３、４）が完全に展開されかつ安定することを特徴とする、請求項３に記載の自動ロック式伸張装置。
【請求項５】
前記要素（３、４）が、前記時計ケース（１）の背面の下に固定されるディスク（６）に連結されることを特徴とする、請求項１〜４のいずれか一項に記載の自動ロック式伸張装置。
【請求項６】
前記第１要素（３）および第２要素（４）が、前記閉鎖位置において「陰陽」位置で互いに隣接して入れ子になる２つのフック形板であることを特徴とする、請求項１〜５のいずれか一項に記載の自動ロック式伸張装置。
【請求項７】
装飾要素（１０）が、前記時計ケース（６）の前記背面の中心に配置され、前記装飾要素（１０）および前記展開可能要素（３、４）の外形が、前記要素（３、４）が前記ロック位置において前記装飾要素に隣接して確実に入れ子になるようにすることを特徴とする、請求項１〜６のいずれか一項に記載の自動ロック式伸張装置。
【請求項８】
前記展開可能要素（３、４）が、前記ロック位置において前記時計ケース（１）の前記周縁に接して位置するような形状であることを特徴とする、請求項１に記載の自動ロック式伸張装置。
【請求項９】
請求項１〜８のいずれか一項に記載の自動ロック式伸張装置を具備する腕時計。 
【発明の詳細な説明】
【技術分野】
【０００１】
本発明は、時計用自動ロック式伸張装置、特に、たとえばロック位置で時計ケースの背面の下に隠すことができる自動ロック式伸張装置に関する。
【背景技術】
【０００２】
展開可能な閉鎖装置は、従来技術の一部である。かかる装置は、一般に、３つのヒンジ式部品、すなわち中心本体とその各端部に連結されたそれより短い側方部分とから構成される。これら側方部分を、中心本体の外面上に折り重ねるかまたはそこに戻るように枢動させることができ、本体にかつ各側方部分に設けられる協働するロック手段により本体上に固定することができる。
【０００３】
こうした閉鎖装置には、何回かの繰り返される開閉のサイクルの後に、ラッチ効果を弱める可能性のある摩損が発生し、それにより閉鎖装置の望ましくない開閉がもたらされる、という点で不都合がある。スイス特許第６８９  ９３１号は、上記閉鎖装置の望ましくない開放を防止する機構を開示する。
【発明の開示】
【発明が解決しようとする課題】
【０００４】
しかしながら、上述した装置は目に見え、時計のブレスレットの審美性に影響を与える。
【課題を解決するための手段】
【０００５】
本発明の目的は、時計のための確実な自動ロック式伸張装置を提案することであり、かかる装置は、時計の審美性を向上させるように時計ケースの背面、正面、または周辺部のいずれかに最初から隠されているかまたは審美的に配置されている。
【０００６】
この目的は、請求項１に示されるような自動ロック式伸張装置によって達成される。時計ケースをストラップまたはブレスレットの２つの端部に連結するこの装置は、第１展開可能要素および第２展開可能要素を備え、各々、一端が、ストラップまたはブレスレットの端部に枢支連結されるかまたは枢支連結されるように配置され、別の端部が、アンロック位置とロック位置との間で時計ケースに直接または間接的に枢支連結されている。上記展開可能要素は、ロック位置において、時計ケースの背面の下に閉じ込められるか、もしくは、時計ケースの周縁に接してまたは時計ケースの正面に亙って位置するような形状を有する。展開可能要素は、ストラップまたはブレスレットの端部が合わせてまたは別個に移動する間に時計ケースを回転させることにより、ロック位置とアンロック位置との間で移動可能である。
【０００７】
本発明は、添付図面を参照していくつかの実施形態の以下の詳細な説明によってよりよく理解されるであろう。
【発明を実施するための最良の形態】
【０００８】
図１〜図１０に示す本発明の好ましい実施形態によれば、時計ケース（１）をストラップまたはブレスレット（２）の２つの端部に連結する自動ロック式伸張装置は、第１展開可能要素（３）および第２展開可能要素（４）を備える。第１展開可能要素（３）および第２展開可能要素（４）は、一端が、第１軸（１１）および第２軸（１２）でストラップまたはブレスレット（２）の一端に連結されるフック要素（５）に枢支連結され、別の端部が、第３軸（１３）および第４軸（１４）で時計ケース（１）の背面の下に固定されるディスク（６）に枢支連結される。
【０００９】
展開可能要素（３、４）は、自動ロック式伸張装置が完全にアンロックされた時にかかる要素（３、４）がストラップまたはブレスレット（２）が伸張した状態で完全に展開され得るようにヒンジによって互いに連接される、３つの異なる部品（７、８、９）から構成される（図１０）。
【００１０】
この例では、展開可能要素（３、４）は、ロック位置において、時計ケース（１）の背面の下に閉じ込められるような形状を有する。時計ケース（１）の背面の中心に装飾要素（１０）が配置され、その装飾要素（１０）および上記展開可能要素（３、４）の外形によって、上記要素（３、４）がロック位置において装飾要素（１０）に隣接して確実に入れ子になる。
【００１１】
展開可能要素（３、４）は、時計ケース（１）を回転させることによりロック位置とアンロック位置との間で移動可能である。図４によって分かるように、時計を手首に容易に配置することと時計を手首から容易に取り外すこととの両方を保証して、要素（３、４）が完全に配置されることを確実にするために、時計ケース（１）を１８０度左周りに回転させなければならない。
【００１２】
ブレスレットが手首を確実に保持するのを保証するように、ストラップまたはブレスレット（２）の各端部に連結される両フック要素（５）が時計ケース（１）の周縁の一部に接するようにするために、時計ケース（１）が１８０度右方向に回転される時、上記展開可能要素（３、４）は時計ケース（１）の背面の下に後退し完全に閉じ込められる。上記フック要素（５）は、展開可能要素（３、４）が時計ケース（１）の背面の下に閉じ込められる時に、時計ケース（１）の周縁の上記部分に対して堅くもたれかかるような、かつ時計ケース（１）が図９に示すように垂直軸に沿って引っ張られる時であっても、上記要素（３、４）が時計ケース（１）の下に後退しかつ完全に閉じ込められたままであることを確実にするような、形状である。
【００１３】
各展開可能要素（３、４）の一端は、第１軸（１１）および第２軸（１２）を中心にフック要素（５）に枢支連結され、上記軸は、上記要素（３、４）が、ロック位置において時計ケース（１）の背面の下に閉じ込められる時、互いに対して平行でありかつ互いから隔置され、それによりそれら要素（３、４）を安定した位置で保持する引張線がもたらされる。
【００１４】
これら展開可能要素（３、４）は、第３軸（１３）が引張線（１５）の下方に移動し第４軸（１４）が上記引張線（１５）の上方に移動するように、時計ケース（１）が左回りに回転される時、回転可能に展開され、要素（３、４）は、第１軸（１１）、第２軸（１２）、第３軸（１３）および第４軸（１４）が展開可能要素（３、４）をアンロック位置で保持する上記引張線（９）上で互いに平行である時に、完全に展開されかつ安定する。
【００１５】
好ましい実施形態の変形では、第１展開可能要素（３）および第２展開可能要素（４）は、２つのフック形板であり、ロック位置にある時に「陰陽」位置で互いに隣接して入れ子になる。
【００１６】
本発明の第２実施形態では、図１１〜図１４によって示すように、本発明の第１実施形態で説明したフック要素（５）の代りに、ロック位置において時計ケース（１）の下に部分的に閉じ込められる連結要素（１６）が使用される。
【００１７】
時計ケース（１）が図１２に示すように垂直軸に沿って引っ張られる場合であっても、上記要素（３、４）が時計ケース（１）の下に後退しかつ完全に閉じ込められたままであることを確実にするように、要素（１７）が、図１１に示すような２つの展開可能要素（３、４）の上部を部分的にカバーしている。
【００１８】
本発明の第３実施形態（図１５〜図１９）では、展開可能要素（３、４）は、後退位置において、時計ケース（１）の周縁の全体に接して位置するような形状であり、展開可能要素（３、４）の伸張および後退は、第１実施形態で説明したように時計ケースを回転させることによって実現される。
【００１９】
各展開可能要素（３、４）は、第１部品（１８）および第２部品（１９）によって作製される。各第１部品（１８）の一端は、第１垂直軸（２１）を中心にラグ（２０）に枢支連結され（図１６）、ラグ（２０）は、時計ケース（１）の周縁に位置し、上記第１部品（１８）の他端は、第２水平軸（２２）を中心に第２部品（１９）の端部に枢支連結される。２つの展開可能要素（３、４）の一方の第２部品（１９）は、その部品（１９）が後退位置において時計ケース（１）の周縁の一部に接して位置する時、時計の少なくとも１つの竜頭の周囲で調整可能な少なくとも１つの穴（２３）を備える。
【００２０】
伸張位置に達するために、各展開可能要素（３、４）の第１部品（１８）の端部は、ラグ（２０）において第１垂直軸（２１）中心に回転し、第２部品（１９）の端部は、第１部品（１８）の他端において第２水平軸（２２）を中心に回転する。
【産業上の利用可能性】
【００２１】
説明した自動ロック式伸張装置は、時計に適しているが、添付の特許請求の範囲において定義される本発明の範囲から逸脱することなく、本発明を企図することができる他の適用に対してそれを使用することができる。たとえば、ベルトに適応させることができる。
【図面の簡単な説明】
【００２２】
【図１】自動ロック式伸張装置がロック位置にある時の、ストラップまたはブレスレットのための２つの連結要素を示す時計ケースの平面図を表す。
【図２】左回りにわずかに回転された時の時計ケースの平面図を表す。
【図３】２つの連結要素が別個に移動する間に左回りに９０度回転された時の時計ケースの平面図を表す。
【図４】１８０度左回りに回転され展開可能要素が完全に伸張している時の時計ケースの平面図を表す。
【図５】図１に示す自動ロック式伸張装置の伸張の手順の１つに対応する展開可能要素を有する上記時計ケースの底面図を表す。
【図６】図２に示す自動ロック式伸張装置の伸張の手順の１つに対応する展開可能要素を有する上記時計ケースの底面図を表す。
【図７】図３に示す自動ロック式伸張装置の伸張の手順の１つに対応する展開可能要素を有する上記時計ケースの底面図を表す。
【図８】図４に示す自動ロック式伸張装置の伸張の手順の１つに対応する展開可能要素を有する上記時計ケースの底面図を表す。
【図９】自動ロック式伸張装置がロック位置にある時の時計の部分側面図を表す。
【図１０】展開可能要素が完全に伸張した状態で自動ロック式伸張装置がアンロック位置にある時の時計の部分側面図を表す。
【図１１】自動ロック式伸張装置がロック位置にある時の本発明の第１実施形態の変形による時計ケースの底面図を表す。
【図１２】図１１の側面図を表す。
【図１３】図１２の平面図を表す。
【図１４】展開可能要素が完全に伸張した状態で自動ロック式伸張装置がアンロック位置にある時の図１３の時計の平面図を表す。
【図１５】自動ロック式伸張装置がロック位置にある時の本発明の第２実施形態による時計ケースの平面図を表す。
【図１６】図１５の組立分解図を表す。
【図１７】図１５の時計ケースの側面図を表す。
【図１８】展開可能要素が完全に伸張した状態で自動ロック式伸張装置がアンロック位置にある時の図１５の時計ケースの平面図を表す。
【図１９】図１８の側面図を表す。
【図１】
2008532053.tif 000003
【図２】
2008532053.tif 000004
【図３】
2008532053.tif 000005
【図４】
2008532053.tif 000006
【図５】
2008532053.tif 000007
【図６】
2008532053.tif 000008
【図７】
2008532053.tif 000009
【図８】
2008532053.tif 000010
【図９】
2008532053.tif 000011
【図１０】
2008532053.tif 000012
【図１１】
2008532053.tif 000013
【図１２】
2008532053.tif 000014
【図１３】
2008532053.tif 000015
【図１４】
2008532053.tif 000016
【図１５】
2008532053.tif 000017
【図１６】
2008532053.tif 000018
【図１７】
2008532053.tif 000019
【図１８】
2008532053.tif 000020
【図１９】
2008532053.tif 000021
【国際調査報告】
2008532053.tif 000022
2008532053.tif 000023